(57)【要約】【課題】  軽量であり、また衝撃吸収性に優れ、さらにポケット内にカード状電子機器を収容している場合において、その電子機器がポケットから抜けて落下するようなことがなく、さらに生産性にも優れた電子機器収納用バッグを提供すること。【解決手段】  衝撃吸収性材料にて形成された一対の側面部２と、両側面部２の一端部同士を開閉可能に接続する背面部４と、背面部４を除いて両側面部２の周囲に取付けられたファスナー部６と、両側面部２の少なくとも一方の内面側に設けられたカード状の第２の電子機器が収容されるポケット１０と、を有する電子機器収納用バッグ１である。ポケット１０は、バッグ１の側面部２の内面側において側面部２の周囲に一端部が縫い付けられた表面部１２と、表面部１２の裏面側に配設され接続された裏面部１３とを有し、表面部１２の裏面側において表面部１２と裏面部１３との間に出し入れ口１１が形成されている。【選択図】  図１
0003105248.tif 000002
【実用新案登録請求の範囲】
【請求項１】
衝撃吸収性材料にて形成された一対の側面部と、両側面部の一端部同士を開閉可能に接続する背面部と、該背面部を除いて両側面部の周囲に取付けられたファスナー部と、該両側面部の少なくとも一方の内面側に設けられたカード状の第２の電子機器が収容されるポケットと、を有する電子機器収納用バッグであって、
該ポケットは、該バッグの側面部の内面側において該側面部の周囲に一端部が縫い付けられた表面部と、該表面部の裏面側に配設され表面部の一端部側を除いて表面部に周囲が接続された裏面部とを有し、該裏面部の高さ寸法は該表面部の高さ寸法に比べて小寸法に形成されて該表面部の裏面側において表面部と裏面部との間に出し入れ口が形成されている電子機器収納用バッグ。
【請求項２】
前記ポケットは、前記側面部の開放側端部に取付けられ、該ポケットは表面部の一端部側を中心として反転可能である請求項１に記載の電子機器収納用バッグ。
【請求項３】
衝撃吸収性材料にて形成される一対の側面部と、両側面部の一端部同士を開閉可能に接続する背面部と、該背面部を除いて両側面部の周囲に取付けられたファスナー部と、を有する電子機器収納用バッグであって、
該側面部の周囲に、ワイヤーが内蔵された補強枠部が全周に亘って設けられている電子機器収納用バッグ。
【考案の詳細な説明】
【技術分野】
【０００１】
本考案は、ノート型パソコンや電子辞書などの電子機器を収納するバッグに関し、詳しくは、衝撃吸収性材料にて形成される側面部と、両側面部の一端部同士を開閉可能に接続する背面部と、該背面部を除いて両側面部の周囲に取付けられたファスナー部と、を有し、内部に収納された電子器機を衝撃から保護した電子機器収納用バッグに関する。
【背景技術】
【０００２】
従来、ノート型パソコンや電子辞書などの電子機器を収納するバッグが、例えば、特開平９−３０１４４０号公報、特開平１１−２８１１４号公報、特開２０００−３３３７１６号公報、特開２００２−１１２５７３６号公報、特開平２００２−３５５１１０号公報などにおいて提案されている。
【０００３】
これらのバッグにおいては、バッグ内部に収納された電子器機を外部からの襲撃から保護するため、および軽量化のために種々の工夫がなされている。
【０００４】
ところで、その電子機器に接続されるメディアカードなどのカード状の電子機器を収納するポケットをバッグに設けるには、従来では、バッグ本体の側面部の外面あるいは内面に設けられる。ポケットをバッグ本体の外面に設ける場合には、カードがポケットから不意に落下して壊れることが多く、また側面部の内面にポケットを設けた場合でも、バッグを開いた際にカードがポケットから抜けて落下する場合がある。
【０００５】
さらに、従来のポケットは、カードの一部がポケットから露出する構成であるので、カードがパソコン等の電子機器の外表面に接触して傷を付けるという欠点がある。
【０００６】
ところで、上記したように、バッグの側面部は、衝撃吸収性に優れた材質で形成されており、電子機器を収納したバッグを不意に落としたような場合でも電子機器への衝撃を極力吸収しているのであるが、バッグのファスナー部あるいは背面部側が床面等に衝突したような場合には、これらの部分は衝撃吸収性材料にて形成されていないので、電子機器が直接衝撃を受けるという欠点がある。
【特許文献１】特開平９−３０１４４０号公報
【特許文献２】特開平１１−２８１１４号公報
【特許文献３】特開２０００−３３３７１６号公報
【特許文献４】特開２００２−１１２５７３６号公報
【特許文献５】特開平２００２−３５５１１０号公報
【考案の開示】
【考案が解決しようとする課題】
【０００７】
本考案は、上記の欠点を解消するためになされたものであって、その目的とするところは、軽量であり、また衝撃吸収性に優れ、さらにポケット内にカード状電子機器を収容している場合において、その電子機器がポケットから抜けて落下するようなことがなく、また収納された電子機器が傷つくこともなく、さらに生産性にも優れた電子機器収納用バッグを提供することを目的とする。
【課題を解決するための手段】
【０００８】
本考案の電子機器収納用バッグは、衝撃吸収性材料にて形成された一対の側面部と、両側面部の一端部同士を開閉可能に接続する背面部と、該背面部を除いて両側面部の周囲に取付けられたファスナー部と、該両側面部の少なくとも一方の内面側に設けられたカード状の第２の電子機器が収容されるポケットと、を有する電子機器収納用バッグであって、該ポケットは、該バッグの側面部の内面側において該側面部の周囲に一端部が縫い付けられた表面部と、該表面部の裏面側に配設され表面部の一端部側を除いて表面部に周囲が接続された裏面部とを有し、該裏面部の高さ寸法は該表面部の高さ寸法に比べて小寸法に形成されて該表面部の裏面側において表面部と裏面部との間に出し入れ口が形成されており、そのことにより上記目的が達成される。
【０００９】
一つの実施形態では、前記ポケットは、前記側面部の開放側端部に取付けられ、該ポケットは表面部の一端部側を中心として反転可能である。
【００１０】
本考案の他の電子機器収納用バッグは、衝撃吸収性材料にて形成される一対の側面部と、両側面部の一端部同士を開閉可能に接続する背面部と、該背面部を除いて両側面部の周囲に取付けられたファスナー部と、を有する電子機器収納用バッグであって、該側面部の周囲に、ワイヤーが内蔵された補強枠部が全周に亘って設けられており、そのことにより上記目的が達成される。
【考案の効果】
【００１１】
カード状電子機器のポケットへの出し入れは、ポケットを反転してポケット裏面から行う構造になっており、その構造がカード状電子機器の落下防止機能を備えているので、不用意にポケット内の収納物（電子機器）を落下させる心配がない。
【００１２】
出し入れを裏面から行うことと、収納する電子機器に接するポケットの表面部に柔らかい生地を採用することで、ノートパソコン等の電子機器に傷を付けるおそれがない。
【００１３】
ポケットとバッグ本体との取り付けは、外周の縫製をかねて行っているので、外観を損なうミシン目が表面にでない。
【００１４】
さらに、これまでの電子器機収納用バッグは、衝撃吸収力を高めるために、内包するクッション材の衝撃吸収性能のみを追及してきた。例えば、単なるスポンジ材から低反発発泡ウレタン樹脂材へ、さらには、低反発発泡ウレタン樹脂と高密度ＥＶＡ等との２層構造にする等であるが、それはあくまでも平面部分の衝撃力を高めるにすぎず、周囲および角部に関しては、従来製品と全く同じ作りであり、例えば、ファスナー部はクッション材がないので、横方向の衝撃には弱い。そのため、横方向や斜め方向からの落下にはほとんど効果を発揮しない仕様となっていた。
【００１５】
本考案においては、バッグの側面部の外周にワイヤーが内蔵された補強枠部（バンパーフレーム）を配置し、内容物（電子機器）がフローティングされた状態で保持されるため、横方向や斜め方向から衝撃が加わった場合でも、内容物に衝撃が加わるのではなく、フレームがバンパー効果を発揮し衝撃を分散させるため、既存製品と比較し、明らかに衝撃吸収力の改善が期待できる。
【００１６】
また、素材特性上、側面部として低反発発泡ウレタン樹脂を採用すると、いわゆる、インナーケースやデジタルカメラ用バッグはシャープな形が出にくく安定し難いのであるが、外周にフレームを配置することにより、縫製上の誤差を矯正でき、従来品と比較し、見た目のすっきり感があるバッグを提供できる。
【考案を実施するための最良の形態】
【００１７】
以下に本考案の実施の形態を具体的に説明する。
【００１８】
本考案に係る電子機器収納用バッグ１は、図１〜図３に示すように、衝撃吸収性材料にて形成される一対の側面部２，２と、両側面部２，２の一端部同士を開閉可能に接続する背面部４と、該背面部４を除いて両側面部２，２の周囲に取付けられたファスナー部６と、該両側面部２，２の少なくとも一方の内面側に設けられたポケット１０と、を有する。
【００１９】
側面部２を形成する衝撃吸収性材料としては、例えば、スポンジ材、低反発発泡ウレタン樹脂材、低反発発泡ウレタン樹脂と高密度ＥＶＡ等との２層構造のものがあげられるが、特に低反発発泡ウレタン樹脂が好ましい。このような弾性部材の表裏面に生地を張り合わせて側面部２が構成されている。
【００２０】
該側面部２は略矩形状に形成され、一方の側面部２の一辺に背面部４を介して他方の側面部２が接続されている。
【００２１】
ファスナー部６は背面部４側を除く側面部２の周囲に縫い付けられている。
【００２２】
ポケット１０は矩形状に形成され、その一端に出し入れ口１１が形成され、ポケット１０内には、該電子機器に接続可能なカード状の第２の電子機器が収容されるものである。
【００２３】
該ポケット１０は、バッグ１の該側面部２の内面側に配置され、側面部２の開放側の縁部に一端部が縫い付けられた表面部１２と、該表面部１２の一端部側を除いて表面部１２に周囲が接続された裏面部１３とを有している。該裏面部１３の高さ寸法は該表面部１２の高さ寸法に比べて小寸法に形成されており、該表面部１２の裏面側において表面部１２と裏面部１３との間に出し入れ口１１が形成されている。
【００２４】
従って、該ポケット１０は表面部１２の一端部側を中心として反転可能であり、図１に示すように、ポケット１０の出し入れ口１１を側面部２の内面側から反転して外側へ露出することができる。
【００２５】
このポケット１０内へカード状の第２の電子機器を収納するには、図１に示したように出し入れ口１１を外側へ開放した状態で行えばよく、電子機器をポケット１０に収納後は、図２に示すように、反転して出し入れ口１１が側面部２の内側を向くようにする。従って、出し入れ口１１は、側面部２によって閉ざされるので、電子機器がポケット１０から不意に飛び出して落下することはない。
【００２６】
また、ポケット１０内の電子機器の一部が、収納された第１の電子機器表面に接触することもないので、該電子機器が傷つくこともない。
【００２７】
このポケット１０の表面部１２の一端部は、上記したように、バッグ１のファスナー部６の縫製と同時に側面部２に縫い付けられているので、ポケット１０をバッグ１に取付ける工程を減らすことができて製作コストを低減できる。
【００２８】
また、図４および５に示すように、バッグ１の側面部２の周囲には、補強枠部８が全周に亘って設けられ、この補強枠部８は、金属製あるいはプラスチック製（例えば、エンジニアリングプラスチックなど）のワイヤーの周囲に布製などの被覆を設けて構成されている。
【００２９】
従って、このバッグ１をファスナー部６、背面部４或いは角部で床あるいは地面に落下させたような場合であっても、補強枠部８がその衝撃を受けて側面部２が大きく変形することはないので、電子機器に大きい衝撃を受けることがない。
【図面の簡単な説明】
【００３０】
【図１】図１はバッグ開いて、内部のポケットの出し入れ口を露出した状態の斜視図である。
【図２】図２はバッグ開いて、内部のポケットをバッグの側面部側に沿わせた状態の斜視図である。
【図３】図３はポケット部分の拡大斜視図である。
【図４】図４はファスナーを閉じてバッグを閉じた状態の斜視図である。
【図５】図５はファスナーを開いてバッグを閉じた状態の斜視図である。
【符号の説明】
【００３１】
１    電子機器収納用バッグ
２    側面部
４    背面部
６    ファスナー部
８    補強枠部
１０  ポケット
１１  出し入れ口
１２  表面部
１３  裏面部
【図１】
0003105248.tif 000003
【図２】
0003105248.tif 000004
【図３】
0003105248.tif 000005
【図４】
0003105248.tif 000006
【図５】
0003105248.tif 000007
【手続補正書】
【提出日】平成16年6月11日(2004.6.11)
【手続補正１】
【補正対象書類名】実用新案登録請求の範囲
【補正対象項目名】全文
【補正方法】変更
【補正の内容】
【実用新案登録請求の範囲】
【請求項１】
衝撃吸収性材料にて形成された一対の側面部と、両側面部の一端部同士を開閉可能に接続する背面部と、該背面部を除いて両側面部の周囲に取付けられたファスナー部と、該両側面部の少なくとも一方の内面側に設けられたカード状の第２の電子機器が収容されるポケットと、を有する電子機器収納用バッグであって、
該ポケットは、該バッグの側面部の内面側において該側面部の周囲に一端部が縫い付けられた表面部と、該表面部の裏面側に配設され表面部の一端部側を除いて表面部に周囲が接続された裏面部とを有し、該裏面部の高さ寸法は該表面部の高さ寸法に比べて小寸法に形成されて該表面部の裏面側において表面部と裏面部との間に出し入れ口が形成されている電子機器収納用バッグ。
【請求項２】
前記ポケットは、前記側面部の開放側端部に取付けられ、該ポケットは表面部の一端部側を中心として反転可能である請求項１に記載の電子機器収納用バッグ。
【手続補正２】
【補正対象書類名】明細書
【補正対象項目名】００１０
【補正方法】削除
【補正の内容】